(57)【要約】【課題】スイッチ表示部の大きさが異なる場合でも、エンボススイッチのクリック感や経年的特性を均一にすることができるスイッチ構造およびスイッチ盤構造を提供する。【解決手段】スイッチ部３と、スイッチ部３が配置される開口部４１が形成されたパネル４と、パネル４に重なって設けられ、開口部４１と重なる位置に凸状のエンボススイッチ５１がエンボス加工で形成されたシート５と、を有し、シート５には、エンボススイッチ５１にスイッチ表示部５２が形成され、スイッチ表示部５２は、エンボススイッチ５１よりも小さく形成されている。【選択図】図１
2019032989.tif 000002
【特許請求の範囲】
【請求項１】
スイッチ部と、
前記スイッチ部が配置される開口部が形成されたパネルと、
前記パネルに重なって設けられ、前記開口部と重なる位置に凸状のエンボススイッチがエンボス加工で形成されたシートと、を有し、
前記シートには、前記エンボススイッチにスイッチ表示部が形成され、
前記スイッチ表示部は、前記エンボススイッチよりも小さく形成されていることを特徴とするスイッチ構造。
【請求項２】
前記スイッチ部と前記エンボススイッチとの間には、ヒンジスイッチが設けられていることを特徴とする請求項１に記載のスイッチ構造。
【請求項３】
前記スイッチ部と前記エンボススイッチとの間には、プッシャーが設けられていることを特徴とする請求項１に記載のスイッチ構造。
【請求項４】
複数のスイッチが設けられたスイッチ盤構造において、
前記複数のスイッチごとにそれぞれ設けられた複数のスイッチ部と、
複数の前記スイッチ部がそれぞれ配置される開口部が複数形成されたパネルと、
前記パネルに重なって設けられ、複数の前記開口部とそれぞれ重なる位置に凸状のエンボススイッチがエンボス加工で形成されたシートと、を有し、
前記シートには、複数の前記エンボススイッチそれぞれにスイッチ表示部が形成され、
複数の前記スイッチ部は、それぞれ同じ形態に形成され、
複数の前記開口部は、それぞれ同じ大きさに形成され、
複数の前記エンボススイッチは、それぞれ同じ大きさに形成され、
複数の前記スイッチ表示部は、前記エンボススイッチの大きさに寄らず前記エンボススイッチが形成されている範囲においてそれぞれ任意の大きさに形成されていることを特徴とするスイッチ盤構造。
【発明の詳細な説明】
【技術分野】
【０００１】
本発明は、スイッチ構造およびスイッチ盤構造に関する。
【背景技術】
【０００２】
基板に重ねて配置されるパネルの表面に、凸状のエンボススイッチがエンボス加工で形成されたシートが重なって配置されたスイッチ構造が知られている（例えば、特許文献１参照）。パネルには、基板に実装されたスイッチ部が配置される開口部が形成されている。エンボススイッチは、開口部と重なり、スイッチ部と対向している。
このようなスイッチ構造では、エンボススイッチを押すことでスイッチ部のＯＮ／ＯＦＦが切り替えられるように構成されている。
シートには、使用者がスイッチの位置が判別しやすいように、スイッチが設けられている位置に、他の部分と色や触感などが異なるスイッチ表示部が形成されている。スイッチ表示部は、エンボススイッチ全体に形成されている。スイッチ表示部、エンボススイッチおよびパネルの開口部は、それぞれが重なる方向から見て略同じ形状に形成されている。
【０００３】
同一のシートに複数のスイッチが設けられているスイッチ盤では、スイッチの種類や用途に合わせてスイッチ表示部の大きさが異なることがある。
このような場合、スイッチ表示部の大きさに合せてエンボススイッチおよびパネルの開口部の大きさを形成している。
【先行技術文献】
【特許文献】
【０００４】
【特許文献１】特開平１０−３１９２８号公報
【発明の概要】
【発明が解決しようとする課題】
【０００５】
複数のスイッチが設けられているスイッチ盤において、同一のシートに大きさが異なるスイッチ表示部が複数設けられている場合、エンボススイッチの大きさも異なるため、エンボススイッチそれぞれのクリック感や経年的特性が異なることがある。一般的に小さい形状のエンボススイッチの方が大きい形状のエンボススイッチよりも硬く感じられ、劣化しやすい傾向がある。
【０００６】
そこで、本発明は、スイッチ表示部の大きさが異なる場合でも、エンボススイッチのクリック感や経年的特性を均一にすることができるスイッチ構造およびスイッチ盤構造を提供することを目的とする。
【課題を解決するための手段】
【０００７】
上記目的を達成するため、本発明に係るスイッチ構造は、スイッチ部と、前記スイッチ部が配置される開口部が形成されたパネルと、前記パネルに重なって設けられ、前記開口部と重なる位置に凸状のエンボススイッチがエンボス加工で形成されたシートと、を有し、前記シートには、前記エンボススイッチにスイッチ表示部が形成され、前記スイッチ表示部は、前記エンボススイッチよりも小さく形成されていることを特徴とする。
【０００８】
上記目的を達成するため、本発明に係るスイッチ盤構造は、複数のスイッチが設けられたスイッチ盤構造において、前記複数のスイッチごとにそれぞれ設けられた複数のスイッチ部と、複数の前記スイッチ部がそれぞれ配置される開口部が複数形成されたパネルと、  前記パネルに重なって設けられ、複数の前記開口部とそれぞれ重なる位置に凸状のエンボススイッチがエンボス加工で形成されたシートと、を有し、前記シートには、複数の前記エンボススイッチそれぞれにスイッチ表示部が形成され、複数の前記スイッチ部は、それぞれ同じ形態に形成され、複数の前記開口部は、それぞれ同じ大きさに形成され、複数の前記エンボススイッチは、それぞれ同じ大きさに形成され、複数の前記スイッチ表示部は、前記エンボススイッチの大きさに寄らず前記エンボススイッチが形成されている範囲においてそれぞれ任意の大きさに形成されていることを特徴とする。
【０００９】
本発明のスイッチ構造およびスイッチ盤構造では、スイッチ表示部の大きさをエンボススイッチの大きさに寄らずエンボススイッチが形成されている範囲であれば任意の大きさに設定することができる。言い換えれば、スイッチ表示部の大きさが異なる場合でも、同じ大きさのエンボススイッチ、同じ大きさの開口部および同じ形態のスイッチ部を設けることができる。このため、スイッチ表示部の大きさが異なる場合でも、エンボススイッチのクリック感や経年的特性を均一にすることができる。
また、複数のスイッチが設けられてスイッチ表示部の大きさが異なる場合でも、エンボススイッチそれぞれの大きさ、パネルの開口部それぞれの大きさ、およびスイッチ部それぞれの形態を同一とすることができるため、製作や管理の簡便化を図ることができる。
【００１０】
また、本発明に係るスイッチ構造では、前記スイッチ部と前記エンボススイッチとの間には、ヒンジスイッチが設けられていてもよい。
このような構成とすることにより、スイッチ表示部の大きさが異なる場合でも、エンボススイッチの大きさが同じとなり、同じ大きさのヒンジスイッチを使用することができるため、エンボススイッチのクリック感や経年的特性を均一にすることができる。
また、スイッチ表示部の大きさが異なる場合でも、同じ形態のヒンジスイッチを使用することができるため、製作や管理の簡便化を図ることができる。
【００１１】
また、本発明に係るスイッチ構造では、前記スイッチ部と前記エンボススイッチとの間にはプッシャーが設けられていてもよい。
このような構成とすることにより、スイッチ表示部の大きさが異なる場合でも、エンボススイッチの大きさが同じとなり、同じ大きさのプッシャーを使用することができるため、エンボススイッチのクリック感や経年的特性を均一にすることができる。
また、スイッチ表示部の大きさが異なる場合でも、同じ形態のプッシャーを使用することができるため、製作や管理の簡便化を図ることができる。
【発明の効果】
【００１２】
本発明によれば、スイッチ表示部の大きさが異なる場合でも、エンボススイッチのクリック感や経年的特性を均一にできる。また、表示部の大きさによらずエンボススイッチを所定の大きさに加工できるため、表示部が小さくしたいスイッチであっても操作感が硬くなることや、割れや破れなどの劣化を防ぐことができる。
【図面の簡単な説明】
【００１３】
【図１】（ａ）本発明の第１実施形態によるスイッチ構造を上側から見た図、（ｂ）は、（ａ）のＡ−Ａ線断面図である。
【図２】（ａ）本発明の第２実施形態によるスイッチ構造を上側から見た図、（ｂ）は、（ａ）のＢ−Ｂ線断面図である。
【図３】（ａ）本発明の第３実施形態によるスイッチ構造を上側から見た図、（ｂ）は、（ａ）のＣ−Ｃ線断面図である。
【発明を実施するための形態】
【００１４】
（第１実施形態）
以下、本発明の実施形態によるスイッチ構造およびスイッチ盤構造について、図１に基づいて説明する。
図１に示すように、本実施形態によるスイッチ構造１は、例えば、各種装置の操作部などに設けられていて、使用者が押すことでＯＮとなり、押すことを止めることでＯＦＦとなるように切り換えられるスイッチ１１に採用されている。本実施形態のスイッチ構造１は、使用者が上側からスイッチ１１を押すように構成されている。
【００１５】
スイッチ構造１は、板面が水平面となる基板２の上面に実装されたスイッチ部３と、基板２の上側に重なって配置されスイッチ部３が配置される開口部４１が形成されたパネル４と、パネル４の上側に重なって配置され開口部４１と重なる位置にエンボススイッチ５１が設けられたシート５と、を有している。
【００１６】
スイッチ部３は、タクトスイッチで構成されている。スイッチ部の上側には、キャップ３１が取り付けられている。スイッチ部３は、上側から押されることでＯＮとなり、上側から押されることが停止されるとＯＦＦとなるように構成されている。
パネル４は、金属や樹脂などで平板状に形成されている。パネル４には、スイッチ部３が配置される開口部４１が形成されている。開口部４１は、平面視形状（上方から見た形状）が、スイッチ部３の平面視形状よりも大きい円形に形成され、パネル４を貫通している。スイッチ部３は、開口部４１の略中央部に配置されている。パネル４の上面は、スイッチ部３に取り付けられたキャップ３１の上面と同じまたはやや下側に配置されている。
【００１７】
シート５は、樹脂製のシート５でエンボス加工が可能に構成されている。シート５はパネル４の上面に貼りつけられている。シート５には、パネル４の開口部４１を重なる部分に上側に突出する凸状のエンボススイッチ５１がエンボス加工で形成されている。エンボススイッチ５１は、縁部が上側に立ち上がり、その内側が平坦となるように形成されている。エンボススイッチ５１は、シート５におけるエンボススイッチ５１の周囲よりも約０.３ｍｍ上側に突出している。エンボススイッチ５１の平面視形状は、開口部４１と略同じ円形に形成されている。
エンボススイッチ５１は、弾性変形可能に構成されていて、上側から押されると下側に凹み、押すことを止めると上側に突出した形状に復元されるように構成されている。
【００１８】
シート５には、スイッチ１１があることを視認させるためのスイッチ表示部５２が、エンボススイッチ５１と重なる位置に形成されている。図１（ａ）では、スイッチ表示部５２が形成されている部分をドットで示している。スイッチ表示部５２は、他の部分と異なる色で表示したり、他の部分と異なる触感としたりすることで形成されている。
スイッチ表示部５２は、エンボススイッチ５１が形成されている範囲において任意の大きさに形成されている。本実施形態では、スイッチ表示部５２は、エンボススイッチ５１よりも小さい円形に形成され、エンボススイッチ５１の略中央部に重なって配置されている。このため、スイッチ表示部５２の下側には、スイッチ部３のキャップ３１が配置されている。
【００１９】
このようなスイッチ構造１では、使用者がエンボススイッチ５１を上側から押すことにより、エンボススイッチ５１が下側に凹むように弾性変形する。これにより、キャップ３１を介してスイッチ部３が押されてＯＮとする信号が基板２に送られ、スイッチ１１がＯＮとなるように構成されている。
この状態から使用者がエンボススイッチ５１を押すことを止めると、エンボススイッチ５１が上側に突出した状態に復元される。これにより、スイッチ部３が上側から押されていない状態となり、ＯＮとする信号が停止され、スイッチ１１がＯＦＦとなるように構成されている。
本実施形態によるスイッチ構造１では、エンボススイッチ５１を押す使用者が、スイッチ表示部５２を見たり触ったりすることにより、スイッチ１１の位置を認識し、スイッチ表示部５２を押すように設定されている。
【００２０】
本発明の実施形態によるスイッチ盤構造は、上記のようなスイッチ１１が複数設けられたスイッチ盤の構造で、パネル４に同じ大きさの複数の開口部４１が形成され、複数の開口部４１それぞれに同じ形態のスイッチ部３が設けられている。シート５には同じ大きさのエンボススイッチ５１が複数形成されている。シート５は、それぞれのエンボススイッチ５１が開口部４１と重なるようにパネル４に貼りつけられている。
エンボススイッチ５１それぞれに表示されたスイッチ表示部５２は、エンボススイッチ５１が形成されている範囲において、それぞれ任意の大きさに設定されている。このため、スイッチ盤構造には、スイッチ表示部５２の大きさが異なるスイッチ１１が複数設けられている。
【００２１】
次に、上述した本発明の実施形態によるスイッチ構造およびスイッチ盤構造の作用・効果について図面を用いて説明する。
上述した本実施形態によるスイッチ構造１およびスイッチ盤構造では、スイッチ表示部５２の大きさをエンボススイッチ５１の大きさに寄らず、エンボススイッチ５１が形成されている範囲であれば任意の大きさに設定することができる。言い換えれば、スイッチ表示部５２の大きさが異なる場合でも、同じ大きさのエンボススイッチ５１、同じ大きさの開口部４１および同じ形態のスイッチ部３を設けることができる。このため、スイッチ表示部５２の大きさが異なる場合でも、エンボススイッチ５１のクリック感や経年的特性を均一にすることができる。
また、複数のスイッチが設けられてスイッチ表示部５２の大きさが異なる場合でも、エンボススイッチ５１それぞれの大きさ、開口部４１それぞれの大きさおよびスイッチ部３それぞれの形態を同一することができるため、製作や管理の簡便化を図ることができる。
【００２２】
次に、本発明の他の実施形態について、添付図面に基づいて説明するが、上述の第１実施形態と同一又は同様な部材、部分には同一の符号を用いて説明を省略し、第１実施形態と異なる構成について説明する。
【００２３】
（第２実施形態）
図２に示すように、第２実施形態によるスイッチ構造１Ｂおよびスイッチ盤構造は、スイッチ部３とエンボススイッチ５１との間に、第１実施形態のキャップ３１に代わってヒンジスイッチ７が設けられたスイッチ１１Ｂに採用されている。
ヒンジスイッチ７は、ヒンジ部７１と、ヒンジ部７１と連結されスイッチ部３と接触する接触部７２と、接触部７２と接続され接触部７２がパネル４Ｂの上側に移動することを防止するストッパ７３と、を有している。
【００２４】
ヒンジ部７１は、パネル４Ｂに接続され、パネル４Ｂとの接続部を軸として接触部７２およびストッパ７３を回動可能に支持している。
接触部７２は、板面がエンボススイッチ５１の平面視形状と略同じ円形の板状に形成され、エンボススイッチ５１の下側に重なるように配置されている。接触部７２の上面は、エンボススイッチ５１の下面と同じまたはやや下側に配置されている。
第２実施形態では、開口部４１Ｂにおける上部側（開口部上部４１１Ｂとする）が下部側（開口部下部４１２Ｂとする）よりも平面視形状が小さく形成されている。このため、パネル４Ｂには、開口部上部４１１Ｂと開口部下部４１２Ｂとの間に段部４２Ｂが形成されている。接触部７２は、開口部上部４１１Ｂの内側に配置されている。
【００２５】
ストッパ７３は、接触部７２におけるヒンジ部７１と接続されている側と反対側に接続されている。ストッパ７３は、パネル４Ｂの開口部下部４１２Ｂに配置されている。ストッパ７３は、平面視においてパネル４Ｂの開口部上部４１１Ｂの外側に配置されていて、パネル４Ｂの段部４２Ｂと当接している。これにより、接触部７２が開口部４１Ｂからパネル４Ｂの上側に移動しようとしても、ストッパ７３がパネル４Ｂの段部４２Ｂと当接するため、接触部７２が開口部４１Ｂからパネル４Ｂの上側に移動できないように構成されている。
【００２６】
第２実施形態によるスイッチ構造１Ｂでは、使用者がエンボススイッチ５１を上側から押すことにより、エンボススイッチ５１が下側に凹むように弾性変形する。これにより、ヒンジスイッチ７の接触部７２が下側に押され、スイッチ部３が押されてＯＮとする信号が基板２に送られ、スイッチ１１ＢがＯＮとなるように構成されている。
この状態から使用者がエンボススイッチ５１を押すことを止めると、エンボススイッチ５１が上側に突出した状態に復元される。これにより、接触部７２が上側に戻り、スイッチ部３が上側から押されていない状態となり、スイッチ１１ＢをＯＮとする信号が停止され、スイッチ１１ＢがＯＦＦとなるように構成されている。このとき、ヒンジ部７１の接触部７２が上側に戻ると、ヒンジ部７１のストッパ７３がパネル４Ｂの段部４２Ｂと当接するため、接触部７２がパネル４Ｂの上側に移動することが防止される。
【００２７】
第２実施形態によるスイッチ構造１Ｂでは、エンボススイッチ５１を押す使用者が、スイッチ表示部５２を見たり触ったりすることにより、スイッチ１１Ｂの位置を認識し、スイッチ表示部５２を押すように設定されている。
【００２８】
第２実施形態によるスイッチ盤構造は、上記のようなスイッチ１１Ｂが複数設けられたスイッチ盤の構造で、パネル４に同じ大きさの複数の開口部４１Ｂが形成され、複数の開口部４１Ｂそれぞれに同じ形態のスイッチ部３およびヒンジスイッチ７が設けられている。シート５には同じ大きさのエンボススイッチ５１が複数形成されている。シート５は、それぞれのエンボススイッチ５１が開口部４１Ｂと重なるようにパネル４に貼りつけられている。
エンボススイッチ５１それぞれに表示されたスイッチ表示部５２は、エンボススイッチ５１が形成されている範囲において、それぞれ任意の大きさに設定されている。このため、第２実施形態によるスイッチ盤構造には、スイッチ表示部５２の大きさが異なるスイッチ１１Ｂが複数設けられている。
【００２９】
第２実施形態によるスイッチ構造１Ｂおよびスイッチ盤構造では、第１実施形態と同様の効果を奏する。
また、スイッチ表示部５２の大きさが異なる場合でも、エンボススイッチ５１の大きさが同じことにより、同じ大きさのヒンジスイッチ７を使用することができるため、エンボススイッチ５１のクリック感や経年的特性を均一にすることができる。
また、スイッチ表示部５２の大きさが異なる場合でも、同じ形態のヒンジスイッチ７を使用することができるため、製作や管理の簡便化を図ることができる。
【００３０】
（第３実施形態）
図３に示すように、第３実施形態によるスイッチ構造１Ｃおよびスイッチ盤構造は、スイッチ部３とエンボススイッチ５１との間に、第１実施形態のキャップ３１に代わってプッシャー８が設けられたスイッチ１１Ｃに採用されている。
プッシャー８は、スイッチ部３と接触する接触部８１と、接触部８１と接続され接触部８１がパネル４Ｃの上側に移動することを防止するストッパ８２と、を有している。
【００３１】
接触部８１は、板面がエンボススイッチ５１の平面視形状と略同じ円形の板状に形成され、エンボススイッチ５１の下側に重なるように配置されている。接触部８１の上面はエンボススイッチ５１の下面と同じまたはやや下側に配置されている。
第３実施形態では、第２実施形態と同様に、開口部４１Ｃにおける上部側（開口部上部４１１Ｃとする）が下部側（開口部下部４１２Ｃとする）よりも平面視形状が小さく形成されている。このため、パネル４Ｃには、開口部上部４１１Ｃと開口部下部４１２Ｃとの間に段部４２Ｃが形成されている。接触部７２は、開口部上部４１１Ｃの内側に配置されている。接触部８１は、パネル４Ｃの開口部上部４１１Ｃに配置されている。
【００３２】
ストッパ８２は、接触部８１の縁部に接続されている。ストッパ８２は、パネル４Ｃの開口部下部４１２Ｃに配置されている。ストッパ８２は、平面視における開口部上部４１１Ｃよりも外側に配置されていて、パネル４Ｃの段部４２Ｃと当接している。これにより、接触部８１が開口部４１Ｃからパネル４Ｃの上側に移動しようとしても、ストッパ８２がパネル４Ｃの段部４２Ｃと当接するため、接触部８１が開口部４１Ｃからパネル４Ｃの上側に移動できないように構成されている。
【００３３】
第３実施形態によるスイッチ構造１Ｃでは、使用者がエンボススイッチ５１を上側から押すことにより、エンボススイッチ５１が下側に凹むように弾性変形する。これにより、プッシャー８の接触部８１が下側に押され、スイッチ部３が押されてＯＮとする信号が基板２に送られ、スイッチ１１ＣがＯＮとなるように構成されている。
この状態から使用者がエンボススイッチ５１を押すことを止めると、エンボススイッチ５１が上側に突出した状態に復元される。これにより、接触部８１が上側に戻り、スイッチ部３が上側から押されていない状態となり、スイッチ１１ＣをＯＮとする信号が停止され、スイッチ１１ＣがＯＦＦとなるように構成されている。このとき、プッシャー８の接触部８１が上側に戻ると、プッシャー８のストッパ８２がパネル４Ｃの段部４２Ｃと当接するため、接触部８１がパネル４Ｃの上側に移動することが防止される。
【００３４】
第３実施形態によるスイッチ構造１Ｃでは、エンボススイッチ５１を押す使用者が、スイッチ表示部５２を見たり触ったりすることにより、スイッチ１１Ｃの位置を認識し、スイッチ表示部５２を押すように設定されている。
【００３５】
第３実施形態によるスイッチ盤構造は、上記のようなスイッチ１１Ｃが複数設けられたスイッチ盤の構造で、パネル４に同じ大きさの複数の開口部４１Ｃが形成され、複数の開口部４１Ｃそれぞれに同じ形態のスイッチ部３およびプッシャー８が設けられている。シート５には同じ大きさのエンボススイッチ５１が複数形成されている。シート５は、それぞれのエンボススイッチ５１が開口部４１Ｃと重なるようにパネル４に貼りつけられている。
エンボススイッチ５１それぞれに表示されたスイッチ表示部５２は、エンボススイッチ５１が形成されている範囲において、それぞれ任意の大きさに設定されている。このため、第３実施形態によるスイッチ盤構造には、スイッチ表示部５２の大きさが異なるスイッチ１１Ｃが複数設けられている。
【００３６】
第３実施形態によるスイッチ構造１Ｃおよびスイッチ盤構造では、上記の実施形態と同様の効果を奏する。
また、スイッチ表示部５２の大きさが異なる場合でも、エンボススイッチ５１の大きさが同じことにより、同じ大きさのプッシャー８を使用することができるため、エンボススイッチ５１のクリック感や経年的特性を均一にすることができる。
また、スイッチ表示部５２の大きさが異なる場合でも、同じ形態のプッシャー８を使用することができるため、製作や管理の簡便化を図ることができる。
【００３７】
以上、本発明によるスイッチ構造およびスイッチ盤構造の実施形態について説明したが、本発明は上記の実施形態に限定されるものではなく、その趣旨を逸脱しない範囲で適宜変更可能である。
例えば、上記の実施形態では、スイッチ表示部５２およびエンボススイッチ５１は、円形であるが、四角形など円形以外であってもよい。
また、上記の実施形態では、エンボススイッチ５１は、縁部の内側が平坦となるように形成されているが、縁部の内側が上側に突出する円弧面に形成されていてもよい。
また、上記の実施形態では、スイッチ構造１，１Ｂ，１Ｃは、使用者が上側からエンボススイッチ５１を押すように構成されているが、使用者が側方や下側からエンボススイッチ５１を押すように構成されていてもよい。
また、上記の実施形態では、スイッチ部３はタクトスイッチであるが、タクトスイッチ以外のスイッチであってもよい。
【符号の説明】
【００３８】
１，１Ｂ，１Ｃ  スイッチ構造
２  基板
３  スイッチ部
４，４Ｂ，４Ｃ  パネル
５  シート
７  ヒンジスイッチ
８  プッシャー
４１，４１Ｂ，４１Ｃ  開口部
５１  エンボススイッチ
５２  スイッチ表示部
【図１】
2019032989.tif 000003
【図２】
2019032989.tif 000004
【図３】
2019032989.tif 000005